(57)【特許請求の範囲】
【請求項１】
列に配置された一群の物品を受容し保持するための、上端把持タイプのカートンであって、当該カートンは：
一群の物品を係合するための上端把持構造であって、対向する側端を有する上端把持構造；
第１の端部分及び第２の端部分を有し、前記上端把持構造の前記対向する側端の一方にヒンジ連結されている第１のストラップ；及び、
第１の端部分及び第２の端部分を有し、前記上端把持構造の前記対向する側端の他方にヒンジ連結されている第２のストラップ；
を備え、
前記第１のストラップ及び前記第２のストラップの前記第１の端部分が、それぞれ第１のロック機構の相補的な部分を有し、また、前記第１のストラップ及び前記第２のストラップの前記第２の端部分が、それぞれ第２のロック機構の相補的な部分を有し、
前記第１のストラップの前記第１の端部分が、前記第２のストラップの前記第１の端部分と重なる関係であり、また、前記第１のストラップの前記第２の端部分が、前記第２のストラップの前記第２の端部分と重なる関係であり、
前記第１のストラップの前記第１の端部分及び前記第２の端部分が、一対の接着領域で前記第２のストラップの前記第１の端部分及び前記第２の端部分のそれぞれと接着固定され、前記第１のロック機構及び前記第２のロック機構のそれぞれが、接着領域のそれぞれの対の間に配置され、これにより、前記第１のストラップ及び前記第２のストラップが、当該カートンの各端部に運搬ハンドルを形成することを特徴とするカートン。
【請求項２】
前記第１のロック機構及び前記第２のロック機構のそれぞれの前記相補的な部分の一方が、カットラインによって一部画定されたタブを備えることを特徴とする請求項１に記載のカートン。
【請求項３】
前記カットラインが弓形であることを特徴とする請求項２に記載のカートン。
【請求項４】
前記カットラインは、前記第１のストラップ及び前記第２のストラップのそれぞれに亘って延在する折り目を中断することを特徴とする請求項２または３に記載のカートン。
【請求項５】
前記第１のロック機構及び前記第２のロック機構のそれぞれの前記相補的な部分の他方が、前記第１のストラップ及び前記第２のストラップのそれぞれから打ち抜かれた孔を備えることを特徴とする請求項１に記載のカートン。
【請求項６】
前記対の接着領域は、複数のハーフカットラインを備えることを特徴とする請求項１に記載のカートン。
【請求項７】
前記上端把持構造が：
第１のトップパネル；
第２のトップパネル；
キール構造を形成す一対の内側ショルダーパネル；
前記上端把持構造の前記対向する側端の一方を構成する第１の外側ショルダーパネル；及び、
前記上端把持構造の前記対向する側端の他方を構成する第２の外側ショルダーパネル；を備え、
前記第１のストラップが、前記第１の外側ショルダーパネルにヒンジ連結され、かつ、前記第２のストラップが、前記第２の外側ショルダーパネルにヒンジ連結されることを特徴とする請求項１に記載のカートン。
【請求項８】
前記第１のトップパネル及び前記第２のトップパネルのそれぞれは、ティアーストリップを備え、各ティアーストリップが一対の弱化線によって少なくとも部分的に画定されていることを特徴とする請求項７に記載のカートン。
【請求項９】
各ティアーストリップは、前記第１のトップパネル及び前記第２のトップパネルのそれぞれの縦方向に亘って延在することを特徴とする請求項８に記載のカートン。
【請求項１０】
上端把持タイプのカートンと、一群を形成する複数の物品と、を備える梱包容器であって、前記カートンは、第１のストラップにその対向する側端の一方で、かつ、第２のストラップにその対向する側端の他方で、ヒンジ連結された上端把持構造を備え、前記第１のストラップは、前記一群の第１の側に部分的に沿って配置されており、前記第２のストラップは、前記一群の第２の側に部分的に沿って配置されており、前記第１のストラップは、第１の端部分及び第２の端部分を備えており、前記第１の端部分は、前記一群の第１の端部で折り曲げられており、前記第２の端部分は、前記一群の第２の端部で折り曲げられており、前記第２のストラップは、第１の端部分及び第２の端部分を備えており、前記第１の端部分は、前記一群の第１の端部で折り曲げられており、前記第２の端部分は、前記一群の第２の端部で折り曲げられており、
前記第１のストラップの前記第１の端部分が、前記第２のストラップの前記第１の端部分と重なる関係であり、また、前記第１のストラップの前記第２の端部分が、前記第２のストラップの前記第２の端部分と重なる関係であり、
前記第１のストラップ及び前記第２のストラップの前記第１の端部分は、それぞれ、第１のロック機構の相補的な部分を備え、前記第１のストラップ及び前記第２のストラップの前記第２の端部分は、それぞれ、第２のロック機構の相補的な部分を備え、前記第１のロック機構及び前記第２のロック機構のそれぞれの前記相補的な部分は、インターロック係合において配置され、
前記第１のストラップの前記第１の端部分及び前記第２の端部分が、一対の接着領域で前記第２のストラップの前記第１の端部分及び前記第２の端部分のそれぞれと接着固定され、前記第１のロック機構及び前記第２のロック機構のそれぞれが、接着領域のそれぞれ対の間に配置され、これにより、前記第１のストラップ及び前記第２のストラップが、当該梱包容器の各端部に運搬ハンドルを形成することを特徴とする梱包容器。
【請求項１１】
前記上端把持構造が、２つの隣接する物品の列間に配置されるキール構造を形成する一対の内側ショルダーパネルを有するメインパネルと、第１の外側ショルダーパネル及び第２の外側ショルダーパネルを備え、前記第１の外側ショルダーパネルが、前記上端把持構造の前記対向する側端の一方を構成し、かつ、前記第１のストラップにヒンジ連結されており、前記第２の外側ショルダーパネルが、前記上端把持構造の前記対向する側端の他方を構成し、かつ、前記第２のストラップにヒンジ連結されていることを特徴とする請求項１０に記載の梱包容器。
【請求項１２】
上端把持タイプのカートンを形成するブランクであって、
対向する側端を有する上端把持構造形成セクション；
第１の端部分及び第２の端部分を有し、かつ、前記上端把持構造形成セクションの前記対向する側端の一方にヒンジ連結された第１のストラップ；及び、
第１の端部分及び第２の端部分を有し、かつ、前記上端把持構造形成セクションの前記対向する側端の他方にヒンジ連結された第２のストラップ；
を備え、
前記第１のストラップ及び前記第２のストラップの前記第１の端部分が、それぞれ第１のロック機構の相補的な部分を有し、また、前記第１のストラップ及び前記第２のストラップの前記第２の端部分が、それぞれ第２のロック機構の相補的な部分を有し、
前記第１のストラップの前記第１の端部分と前記第２のストラップの前記第１の端部分とは、前記第１のストラップの前記第１の端部分が、前記第２のストラップの前記第１の端部分と重なる関係で配置され得るように構成され、かつ、前記第１のストラップの前記第２の端部分と前記第２のストラップの前記第２の端部分とは、前記第１のストラップの前記第２の端部分が、前記第２のストラップの前記第２の端部分と重なる関係で配置され得るように構成され、
前記第１のストラップ及び前記第２のストラップの前記第１の端部分の少なくとも１つは、前記第１のストラップ及び前記第２のストラップの前記第１の端部分を一緒に接着固定するための一対の接着領域を備え、前記第１のストラップ及び前記第２のストラップの前記第２の端部分の少なくとも１つは、前記第１のストラップ及び前記第２のストラップの前記第２の端部分を一緒に接着固定するための一対の接着領域を備え、
前記第１のロック機構及び前記第２のロック機構の相補的な部分の少なくとも１つは、前記第１のストラップ及び前記第２のストラップの端部分のそれぞれに設けられた一対の接着領域のそれぞれの対の間に配置されていることを特徴とするブランク。
【請求項１３】
前記上端把持構造形成セクションは：
第１のトップパネル；
第２のトップパネル；
物品の隣接する一対の列の間にキール構造を形成するための一対の内側ショルダーパネル；
前記上端把持構造形成セクションの前記対向する側端の一方を構成するための第１の外側ショルダーパネル；及び、
前記上端把持構造形成セクションの前記対向する側端の他方を構成するための第２の外側ショルダーパネル；
を備えることを特徴とする請求項１２に記載のブランク。
【請求項１４】
前記第１のロック機構及び前記第２のロック機構の相補的な部分の１つは、カットラインによって部分的に画定されるタブを備えることを特徴とする請求項１２に記載のブランク。
【請求項１５】
前記カットラインは弓形であることを特徴とする請求項１４に記載のブランク。
【請求項１６】
前記カットラインが、前記第１のストラップ及び前記第２のストラップのそれぞれに亘って延在する折り目を中断することを特徴とする請求項１４または１５に記載のブランク。
【請求項１７】
前記第１のロック機構及び前記第２のロック機構のそれぞれの前記相補的な部分の他方が、前記第１のストラップ及び前記第２のストラップのそれぞれから打ち抜かれた孔を備えることを特徴とする請求項１４に記載のブランク。
【請求項１８】
前記接着領域の対が、複数のハーフカットラインを備えることを特徴とする請求項１２に記載のブランク。
【請求項１９】
前記第１のトップパネル及び前記第２のトップパネルのそれぞれが、ティアーストリップを備え、各ティアーストリップが一対の弱化線によって少なくとも部分的に画定されていることを特徴とする請求項１３に記載のブランク。
【請求項２０】
各ティアーストリップが、前記第１のトップパネル及び前記第２のトップパネルのそれぞれの縦方向に亘って延在することを特徴とする請求項１９に記載のブランク。
【発明の詳細な説明】
【技術分野】
【０００１】
本発明は１つ又は複数の物品を梱包するためのカートン、及び、このカートンを形成するブランクに関し、より具体的には、だが限定することなく、運搬ハンドルを構成する端部保持ストラップを有する上端把持型のカートンに関する。
【背景技術】
【０００２】
梱包容器の分野において、消費者に複数の主製品の容器を備える梱包容器を提供する必要がよくある。このようなマルチパックは、出荷及び分配のために、かつ、販売促進情報の表示のために好ましい。コスト及び環境意識のために、このようなカートンまたはキャリアは、可能な限りカートンを形成する材料の無駄を少なくするように、可能な限り少ない材料から形成される必要がある。別の考慮すべき点は、その重い物品を保持し、輸送するための梱包容器の強度及び適合性である。
【０００３】
１つの物品または複数の物品の上端部を把持するカートンを構成することは既知である。このようなカートンは、各物品のフランジまたは突起部を係合し得、これにより、カートン内に各物品を保持する。カートンが持ち上げられる際、物品はカートンから吊るされる。
【０００４】
本発明は、カートン内の物品のより確実な保持をもたらし、消費者がカートンを運ぶ手段を提供することを課題とする。
【０００５】
本発明は、先行技術の問題を解消する、または、少なくとも軽減することを課題とする。
【発明の概要】
【発明が解決しようとする課題】
【０００６】
本発明の第１の態様によると、列に配置された一群の物品を受容し保持するための、上端把持タイプのカートンが構成され、カートンは：
一群の物品を係合するための上端把持構造であって、対向する側端を有する上端把持構造；
第１の端部分及び第２の端部分を有し、上端把持構造の対向する側端の一方にヒンジ連結されている第１のストラップ；  及び、
第１の端部分及び第２の端部分を有し、上端把持構造の対向する側端の他方にヒンジ連結されている第２のストラップ；
を備え、
第１のストラップ及び第２のストラップの第１の端部分が、それぞれ第１のロック機構の相補的な部分を有し、また、第１のストラップ及び第２のストラップの第２の端部分が、それぞれ第２のロック機構の相補的な部分を有し、
第１のストラップの第１の端部分が、第１のストラップの第１の端部分と重なる関係であり、また、第１のストラップの第２の端部分が、第１のストラップの第２の端部分と重なる関係であり、
第１のストラップに第１の端部分及び第２の端部分が、一対の接着領域で第２のストラップの第１の端部分及び第２の端部分のそれぞれと接着固定され、第１のロック機構及び第２のロック機構のそれぞれが、接着領域のそれぞれ対の間に配置され、これにより、第１のストラップ及び第２のストラップが、当該カートンの各端部に運搬ハンドルを形成する。
【０００７】
随意的に、第１のロック機構及び第２のロック機構のそれぞれの相補的な部分の一方が、カットラインによって一部画定されたタブを備える。
【０００８】
ある実施形態では、カットラインは弓形である。
【０００９】
好ましくは、カットラインは、第１のストラップ及び第２のストラップのそれぞれに亘って延在する折り目を中断する。
【００１０】
随意的に、第１のロック機構及び第２のロック機構のそれぞれの相補的な部分の他方は、第１のストラップ及び第２のストラップのそれぞれから打ち抜かれた孔を備える。
【００１１】
随意的に、対の接着領域は、複数のハーフカットラインを備える。
【００１２】
ある実施形態では、上端把持構造は：
第１のトップパネル；
第２のトップパネル；
キール構造を形成す一対の内側ショルダーパネル；
上端把持構造の対向する側端の一方を構成する第１の外側ショルダーパネル；及び、
上端把持構造の対向する側端の他方を構成する第２の外側ショルダーパネル；
を備え、
第１のストラップが、第１の外側ショルダーパネルにヒンジ連結され、かつ、第２のストラップが、第２の外側ショルダーパネルにヒンジ連結される。
【００１３】
随意的に、第１のトップパネル及び第２のトップパネルのそれぞれは、ティアーストリップ（tear strip）を備え、各ティアーストリップが一対の弱化線によって少なくとも部分的に画定されている。
【００１４】
好ましくは、各ティアーストリップは、第１のトップパネル及び第２のトップパネルのそれぞれの縦方向に亘って延在する。
【００１５】
本発明の第２の態様によると、上端把持タイプのカートンと、一群を形成する複数の物品と、を備える梱包容器が構成され、カートンは、第１のストラップにその対向する側端の一方で、かつ、第２のストラップにその対向する側端の他方で、ヒンジ連結された上端把持構造を備え、第１のストラップは、一群の第１の側に部分的に沿って配置されており、第２のストラップは、一群の第２の側に部分的に沿って配置されており、第１のストラップは、第１の端部分及び第２の端部分を備えており、第１の端部分は、１群の第１の端部で折り曲げられており、第２の端部分は、一群の第２の端部で折り曲げられており、第２のストラップは、第１の端部分及び第２の端部分を備えており、第１の部分は、一群の第１の端部で折り曲げられており、第２の部分は、一群の第２の端部で折り曲げられており、第１のストラップの第１の端部分が、第１のストラップの第１の端部分と重なる関係であり、また、第１のストラップの第２の端部分が、第１のストラップの第２の端部分と重なる関係であり、第１のストラップ及び第２のストラップの第１の端部分は、それぞれ、第１のロック機構の相補的な部分を備え、第１のストラップ及び第２のストラップの第２の端部分は、それぞれ、第２のロック機構の相補的な部分を備え、第１のロック機構及び第２のロック機構のそれぞれの相補的な部分は、インターロック係合において配置され、第１のストラップに第１の端部分及び第２の端部分が、一対の接着領域で第２のストラップの第１の端部分及び第２の端部分のそれぞれと接着固定され、第１のロック機構及び第２のロック機構のそれぞれが、接着領域のそれぞれの対の間に配置され、これにより、第１のストラップ及び第２のストラップが、当該梱包容器の各端部に運搬ハンドルを形成する。
【００１６】
随意的に、上端把持構造は、２つの隣接する物品の列間に配置されるキール構造を形成する一対の内側ショルダーパネルを有するメインパネルと、第１の外側ショルダーパネル及び第２の外側ショルダーパネルを備え、第１の外側ショルダーパネルが、上端把持構造の対向する側端の一方を構成し、かつ、第１のストラップにヒンジ連結されており、第２の外側ショルダーパネルが、上端把持構造の対向する側端の他方を構成し、かつ、第２のストラップにヒンジ連結されている。
【００１７】
本発明の第３の態様によると、上端把持タイプのカートンを形成するブランクが構成され、ブランクは：、
対向する側端を有する上端把持構造形成セクション；
第１の端部分及び第２の端部分を有し、かつ、上端把持構造形成セクションの対向する側端の一方にヒンジ連結された第１のストラップ；及び、
第１の端部分及び第２の端部分を有し、かつ、上端把持構造形成セクションの対向する側端の他方にヒンジ連結された第２のストラップ；
を備え、
第１のストラップ及び第２のストラップの第１の端部分が、それぞれ第１のロック機構の相補的な部分を有し、また、第１のストラップ及び第２のストラップの第２の端部分が、それぞれ第２のロック機構の相補的な部分を有し、
第１のストラップの第１の端部分と第２のストラップの第１の端部分とは、第１のストラップの第１の端部分が、第２のストラップの第１の端部分と重なる関係で配置され得るように構成され、かつ、第１のストラップの第２の端部分と第２のストラップの第２の端部分とは、第１のストラップの第２の端部分が、第２のストラップの第２の端部分と重なる関係で配置され得るように構成され、
第１のストラップ及び第２のストラップの第１の端部分の少なくとも１つは、第１のストラップ及び第２のストラップの第１の端部分を一緒に接着固定するための一対の接着領域を備え、第１のストラップ及び第２のストラップの第２の端部分の少なくとも１つは、第１のストラップ及び第２のストラップの第２の端部分を一緒に接着固定するための一対の接着領域を備え、
第１のロック機構及び第２のロック機構の相補的部分の少なくとも１つは、第１のストラップ及び第２のストラップの端部分のそれぞれに設けられた一対の接着領域のそれぞれの対の間に配置されている。
【００１８】
随意的に、前記上端把持構造形成セクションは：
第１のトップパネル；
第２のトップパネル；
物品の隣接する一対の列の間にキール構造を形成するための一対の内側ショルダーパネル；
前記上端把持構造形成セクションの前記対向する側端の一方を構成するための第１の外側ショルダーパネル；及び、
前記上端把持構造形成セクションの前記対向する側端の他方を構成するための第２の外側ショルダーパネル；を備える。
【００１９】
本願の範囲内で、上記の段落、特許請求の範囲、及び／または、下記説明及び図面において開示される様々な態様、実施形態、例、特徴、及び、変形は、個々に、または、これらの任意に組み合わせにおいて採用され得る。例えば、一実施形態に関連して説明された特徴は、特徴の非整合性がない限り、全ての実施形態に適用可能である。
【００２０】
ここから本発明の例示的実施形態を、添付図を参照に説明する。
【図面の簡単な説明】
【００２１】
【図１】本発明の第１の実施形態におけるカートンを形成するためのブランクの上からの平面図である。
【図２】図１のブランクから形成されたカートンの上からの斜視図である。
【発明を実施するための形態】
【００２２】
梱包容器、ブランク、及び、カートンの特定の実施形態の詳細な説明が、本明細書で開示される。開示される実施形態は、単に、実施され得る本発明のある態様における方法例であり、本発明が実施される全ての方法の包括的なリストを示すものではない。本願で使用される、「例示的」との用語は、実例、見本、モデル、または、パターンとして役立つ実施形態を意味するように拡張的に使用される。実際に、本願で説明されるパッケージ、ブランク、及び、カートンは、様々な、かつ、代わりの形において実施され得る。図は、スケールされる必要がなく、ある機構は、拡大または省略され、特定の部分の詳細を示す。公知の構成部分、材料、及び方法は、本願の開示事項の邪魔になることを避けるために、詳細に説明する必要はない。本願で説明されるいかなる特定の構造的かつ機能的な詳細もそれに限定するように解釈されるべきではなく、単に請求項の基として、また、当業者が様々に本発明を採用することを教示する見本的な基として解釈されるべきである。
【００２３】
図１を参照すると、図２に示すようなカートン９０を形成することができるブランク１０の平面図が示される。カートン９０は、例えば、しかし、限定することなく、以下で物品と称される、ボトルまたは缶などの複数の主製品を係合することができる。
【００２４】
本願で説明される実施形態では、「カートン」及び「キャリア」との用語は、本発明の様々な機構を図示することが限定されない目的ために、製品容器などの物品を係合、運搬、かつ／または分配するための容器を意味する。本発明の教示は、先細の、かつ／または円筒状であってもなくてもよい、様々な製品容器に適用され得ることが考えられる。例示的な容器は、ボトル（例えば金属、ガラス、またはプラスチックのボトル）、缶（例えばアルミ缶）、ブリキ缶、ポーチ、包み、及び同類物を含む。
【００２５】
ブランクは、適切な基材のシートから形成される。本願で使用される、「適切な基材」との用語は、板紙、波形板、ボール紙、プラスチック、これらの組み合せ、及び、同類物などの折り畳み可能なシート材のあらゆる種類を含むことが認識されるべきである。例えば、下記のより詳細に説明されるキャリア構造を構成するのに適するように１つまたは複数のブランクが採用され得ることが認識されるべきである。
【００２６】
例示的な実施形態では、ブランクは、例示的に配置された例示的な物品を梱包するためのカートンまたはキャリアを形成するように構成される。初めに図示された例示的な実施形態では、配置は２×３のマトリックスまたは列であり、物品は缶である。または、ブランクは、他のタイプ、数、及びサイズの物品を梱包するため、かつ／または、異なる配置または構成において物品を梱包するためのキャリアを形成するように構成され得る。
【００２７】
ブランク１０は、第１のトップパネル１２ａ、第２のトップパネル１２ｂ、第１のショルダーパネル４０、第２のショルダーパネル４２、第３のショルダーパネル４４、及び、第４のショルダーパネル４６を備えるメインパネル１２を備える。
【００２８】
第１のショルダーパネル４０は、第１の折り目１９によって第１のトップパネル１２ａの第１の側端にヒンジ連結される。第１のトップパネル１２ａは、その第２の側端に沿って、第２の折り目７によって第３のショルダーパネル４４にヒンジ連結される。
第３のショルダーパネル４４は、第３の折り目１１によって第４のショルダーパネル４６にヒンジ連結される。第４のショルダーパネル４６は、第４の折り目９によって第２のトップパネル１２ｂの第１の側端にヒンジ連結される。第２のトップパネル１２ｂは、その第２の側端に沿って、第２の折り目１７によって第２のショルダーパネル４２にヒンジ連結される。第１、第２、第３、及び第４の折り目１９、７、９、１７のそれぞれはカットライン２０、２２、２４、２６によって中断される。第２の折り目７は、３つのカットライン２４によって中断される。第４の折り目９は、３つのカットライン２２によって中断される。第５の折り目１７は、３つのカットライン２０によって中断される。カットライン２０、２２、２４、２６のそれぞれは、第４、第３、第２、または、第１のショルダーパネル４６、４４、４２、４０からそれぞれ打ち抜かれるタブを画定する。
【００２９】
第１及び第２のトップパネル１２ａ、１２ｂのそれぞれは、ティアーストリップ１８ａ、１８ｂをそれぞれ備える。第１のトップパネル１２ａは、第１の切断弱化線２１ａによって一部が画定され、かつ、第２の切断弱化線２１ｂによって一部が画定される、第１のティアーストリップ１８ａを備える。第２のトップパネル１２ｂは、第３の切断弱化線２１ｃによって一部が画定され、かつ、第４の切断弱化線２１ｄによって一部が画定される、第２のティアーストリップ１８ｂを備える。
【００３０】
ブランク１０は、折り目１３によって第１のショルダーパネル４０にヒンジ連結された第１のストラップ１４と、折り目１５によって第２のショルダーパネル４２にヒンジ連結された第２のストラップ１６と、を備える。
【００３１】
第１のストラップ１４及び第２のストラップ１６は、トップパネル１２より長さが長い。
【００３２】
第１のストラップ１４は、相互ロック機構の第１の部分Ｌ１を備える。第２のストラップ１６は、相互ロック機構の第２の部分Ｌ２を備える。
【００３３】
相互係合機構の第１の部分Ｌ１は、第１のストラップ１４の両端に設けられる。相互ロック機構の第２の部分Ｌ２は、第２のストラップ１６の両端に設けられる。
【００３４】
相互係合機構の第１の部分Ｌ１は、第１のストラップ１４に亘って延在する折り目３４を備える。折り目３４は、カットライン３２によって中断され、好ましくは、カットライン３２は、弓形の形状であり、係合タブまたは突出部の一部を画定する。
【００３５】
相互ロック機構の第２の部分Ｌ２は、孔３０を備え、好ましくは、孔３０は半球形の形状である。
【００３６】
第２のストラップ１６は、第１及び第２の接着領域２８ａ、２８ｂを備える。第１の接着領域２８ａは、孔３０の第１の側に配置される。第２の接着領域２８ｂは、孔３０の第１の側の反対側である第２の側に配置され、これにより、孔３０は第１の接着領域２８ａと第２の接着領域２８ｂとの間に配置される。随意的に、第１及び第２の接着領域２８ａ、２８ｂは、基材への接着の付着力を向上させるための複数の半カットラインを備え得る。好ましくは、半カットラインは、基材の組成方向（grain）に対して約４５°の角度で位置するように配置される。図示する実施形態では、基材の組成方向は、ブランク１０を横方向に亘って、すなわち、第３の折り目１１と垂直に、延在するよう構成される。
【００３７】
図２に図示されるようにカートン９０の構築を見ると、カートン９０が直線機械において一連の連続する折り曲げ作業によって形成され得、これにより、カートン９０は、その構築を完成するために回転したり、ひっくり返したりする必要がないことが想定できる。折り曲げる工程は、下記に説明されるものに限定されず、特定の製造要求に応じて変更され得る。
【００３８】
ブランク１０は、一群の物品Ａを中心に組み立てられる。一群の物品Ａは、３つの物品Ａをそれぞれ有する２つ列において配置された６つの物品Ａを備える。メインパネル１２は、第３の折り目１１で折り曲げられ、これにより、第３のショルダーパネル４４と第４のショルダーパネル４６が「Ｖ」字形のキール構造を形成する。
第３及び第４のショルダーパネル４４、４６は、物品Ａの２つの列の間に配置される。第３のショルダーパネル４４は、各物品のへりで、かつ、物品Ａの第１の列の各物品Ａの肩部の最内側部分で折り曲げられる。 第４のショルダーパネル４６は、各物品のへりで、かつ、物品Ａの第２の列の各物品Ａの肩部の最内側部分で折り曲げられる。第１のトップパネル１２ａは、物品Ａの第１の列の上、または、さらに上に配置され、第２のトップパネル１２ｂは、物品Ａの第２の列の上、または、さらに上に配置される。第１のショルダーパネル４０は、各物品のへりで、かつ、物品Ａの第１の列の各物品Ａの肩部の最外側部分で折り曲げられる。第２のショルダーパネル４２は、各物品のへりで、かつ、物品Ａの第２の列の各物品Ａの肩部の最外側部分で折り曲げられる。
【００３９】
カットライン２０、２２、２４、２６それぞれは、係合端を画定する。各係合端は、物品Ａのフランジまたは突出部の下に配置される。図示する実施形態では、突出部は、物品Ａのへりによって形成される。第１、第２、第３、及び、第４のショルダーパネル４０、４２、４４、４６を折り曲げることで、カットライン２０、２２、２４、２６が開き、物品Ａの一部が突き抜けるスロットＡを形成する。
【００４０】
第１のストラップ１４は、物品Ａの第１の列の最外側の折り目１３で折り曲げられる。第２のストラップ１６は、物品Ａの第２の列の最外側の折り目１５で折り曲げられる。
【００４１】
第１のストラップ１４の第１の端は、一群の物品Ａの第１の端で折り曲げられる。第１のストラップ１４の第２の端は、一群の物品Ａの第２の端で折り曲げられる。第２のストラップ１６の第１の端は、一群の物品Aの第１の端で折り曲げられる 。第２のストラップ１６の第１の端は、第１のストラップ１４の第１の端と重なる関係で配置される。第２のストラップ１６の第２の端は、一群の物品Aの第２の端で折り曲げられる 。第２のストラップ１６の第２の端は、第１のストラップ１４の第２の端と重なる関係で配置される。 
【００４２】
接着剤が第２のストラップの両端上の第１及び第２の接着領域２８ａ、２８ｂに塗布される。別の実施形態では、接着または他の付着処理が、第１のストラップ１４の対応する部分に適用され得る。
【００４３】
第１のストラップ１４の端部分は、折り目３４で折り曲げられ、これにより、カットライン３２によって画定されるタブが第１のストラップ１４から突出する。タブは、第２のストラップの孔３０に挿入され、第１のストラップ１４は、折り目３４で折り戻され、これにより、第１のストラップ１４の端部分を第１のストラップの隣接する部分と略平面の関係に戻し、これにより、第１及び第２のストラップ１４、１６の端部分を面接触する関係に配置する。圧力が、第１及び第２の接着領域２８ａ、２８ｂにおいて第２のストラップ１６にかけられ、相互ロック機構の第１の部分Ｌ１及び第２の部分Ｌ２によって形成される機械的ロック機構Ｌの対向する面上に第２のストラップ１６を第１のストラップに接着固定する。
【００４４】
この方法では、第１及び第２のストラップ１４、１６の端部が、物品Ａを確実に保持するように物品郡の両端部で締め付けられ得る。
【００４５】
梱包容器が運ばれる際に、機械的ロックと接着領域２８ａ、２８ｂとの組み合わせが、重なる関係で第１及び第２のストラップ１４、１６の端部分を維持するのに十分な強度をもたらすことから、第１及び第２のストラップ１４、１６の端部分は、運搬ハンドルとして採用され得る。このことは、ハンドル孔または指孔をメインパネル１２、例えば、第１または第２のトップパネル１２ａ、１２ｂ或いは第３または第４のショルダーパネル４４、４６、に設けることより有利である。ハンドル孔または指孔を設けることは物品を保持するカートン９０の能力を低減し得ることが分かっているからである。物品Ａは、消費者がメインパネル１２内のハンドル孔または指孔を使用する際に、カートン９０から外れる、または、落としてしまうことが確認されてきた。
【００４６】
第１及び第２のストラップ１４、１６の端部分は、メインパネル１２から離間されることが望ましいだろう。物品Ａは、一群の物品Ａの端部に、消費者が彼らの指及び親指を挿入する、空間または隙間を作る、略円筒形の形状を有する。これにより、使用者は第１及び第２のストラップ１４、１６の端部分の上端部及び下端部の両方と係合することができる。例えば、使用者は、指と親指を使ってカートン９０を運ぶことができる。使用者は、彼らの指と親指を第１および第２のストラップの端部分の後ろに入れることができ、例えば、使用者は彼らの親指で第１及び第２のストラップ１４、１６の端部分の下端部を係合し、人差し指で第１及び第２のストラップ１４、１６の端部分の上端部を係合し得る。別の実施形態では、使用者は、１つまたは複数の指を空間に入れて、第１及び第２のストラップ１４、１６の端部分の上端部または下端部と係合し得る。
【００４７】
第１及び第２のトップパネル１２ａ、１２ｂに縦方向に亘って延在する、第１及び第２のティアーストリップ１８ａ、１８ｂは、消費者によってカートンから切り取られ、物品Ａへのアクセスを取得し得る。
【００４８】
様々な変更が本発明の範囲内でなされ得ることが理解できるだろう。例えば、パネル及び孔のサイズ及び形状は、物品の異なるサイズまたは形状に適合するように調整され得る。別の実施形態では、メインパネルが、それぞれが物品を受け取り保持するための複数の孔を備え得ることが想定される。ある実施形態では、メインパネルは、物品を係合するための孔の周囲に配置された複数のタブを備え得る。内側ショルダーパネルが除外されこれによりカートンがキール構造を備えなくてもよいことが想定される。追加的に、または、代替的に、外側ショルダーパネルが除外され、これにより第１及び第２のストラップがメインパネルに直接連結され得ることが想定される。
【００４９】
本願で使用されているような「上」、「下」、「前」、「後」、「端」、「側」、「内側」、「外側」、「上方」、及び「下方」などの方向指標は、このような配向にそれぞれのパネル限定する必要はなく、単にこれらのパネルをそれぞれから区別するのに役立ち得るものであることが認識されるだろう。
【００５０】
本願で使用されているような「ヒンジ連結」及び「折り目」との用語は、ブランクのヒンジ連結機構を画定するあらゆる種類の線を意味し、互いに対してブランクの一部を折り曲げること促進する、或いは、他の方法で、ブランクの最適なパネルの折り曲げ位置を示すものである。通常、折り目は、スコア線（scored line）、エンボスライン（embossed line）、デボスライン（debossed line）である。「ヒンジ連結」または「折り目」関係のものは全て、必ず単一の折り目のみを意味するように解釈されるべきではなく、ヒンジ連結は、本発明の範囲から逸脱することなく、任意の１つまたは複数の以下のもの、ショートスリット（short slit）、脆弱線、または、折り目、から形成され得ることが想定される。
【００５１】
本願で使用されているような「切断弱化線」との用語は、基材の一部分を互いから分離し易くする、または、最適な分離位置を示す、あらゆる種類の線を意味する。切断線は、脆弱である、或いは、弱化線、破線、カットライン、または、スリットであり得る。
【００５２】
ヒンジ連結、切断線、及び、折り目は、ミシン目、ミシン目の線、ショートスリットの線、ハーフカットの線、単一のハーフカット、カットライン、中断されたカットライン、スリット、スコア（scores）、これらの任意の組み合せ、及び同類物を含む、ブランクの基材に形成された要素をそれぞれが含み得ることが理解されるべきである。この要素は、所望お機能性をもたらすように寸法付けられ、構成され得る。例えば、ミシン目の線は、折り目及び／または切断線を画定するような脆弱度で寸法付け、または、設計され得る。ミシン目の線は、折り曲げ易く、かつ、破断しないように、或いは、折り曲げ易く、かつ、より力を入れると破断し易く、或いは、小さな力で破断し易く設計され得る。
【符号の説明】
【００５３】
７  第２の折り目
９  第３の折り目
１０  ブランク
１１  目
１２  メインパネル
１２a  第１のトップパネル
１２ｂ  第２のトップパネル
１３  第３の折り目
１４  第１のストラップ
１５  折り目
１６  第２のストラップ
１７  第４の折り目
１８ｂ  第２のティアーストリップ
１８a  第１のティアーストリップ
１９  第１の折り目
２０  カットライン
２１a  第１の切断弱化線
２１ｂ  第２の切断弱化線
２１ｃ  第３の切断弱化線
２１ｄ  第４の切断弱化線
２２  カットライン
２４  カットライン
２６  カットライン
２８ａ  第１の接着領域
２８ｂ  第２の接着領域
３０  孔
３２  カットライン
３４  目
４０  第１のショルダーパネル
４２  第２のショルダーパネル
４４  第３のショルダーパネル
４６  第４のショルダーパネル
９０  カートン
【図１】
0006334681.tif 000002
【図２】
0006334681.tif 000003